(57)【要約】【課題】支持面を覆うシートを連続的に交換することができ、シートロールの交換作業が容易且つ衛生的に行うことができる小型の採血台を提供する。【解決手段】採血台１０は、被採血者の腕を支持する弾性変形部材２１を有する支持台１１と、弾性変形部材２１の上面を覆うシート１２がロール形状に巻かれたシートロール１７と、支持台１１の第１端２５側であって弾性変形部材２１の下方に設けられたロール収容部４０と、支持台１１の第２端２６側であって弾性変形部材２１の下方に設けられたシート巻取部１８とを具備する。シート巻取部１８は、第２端２６に開口して第１端２５へ向かって延出された軸受け溝２９，３０と、軸受け溝２９，３０に回転可能に嵌め込まれてシート１２と接続される回転軸１３，１４と、軸受け溝２９，３０に設けられており、回転軸１３，１４を開口側に対して位置決めするロック部材１５，１６とを具備する。【選択図】図１
2010005208.tif 000002
【特許請求の範囲】
【請求項１】
卓上に載置された状態で被採血者の腕を支持しうる支持面を有する支持台と、
上記支持面を覆う帯状のシートがロール形状に巻かれたシートロールと、
上記支持台において被採血者と対向する第１端側であって上記支持面の下方に設けられており、上記シートロールからシートを引き出し可能に収容するロール収容部と、
上記支持台における上記第１端と反対側の第２端側であって上記支持面の下方に設けられており、上記支持面を覆っているシートを巻き取るシート巻取部と、を具備し、
上記シート巻取部は、
上記支持台に設けられており、上記第２端に開口して上記第１端へ向かって延出された軸受け溝と、
上記軸受け溝に回転可能に嵌め込まれて上記シートと接続される回転軸と、
上記軸受け溝に設けられており、上記回転軸を上記開口側に対して位置決めするロック部材と、を具備する採血台。
【請求項２】
上記支持面は、上記第１端から上記第２端へ向かって降下する傾斜面である請求項１に記載の採血台。
【請求項３】
上記ロック部材は、上記軸受け溝の奥に設けられて第１回転位置と第２回転位置との間で回転可能に設けられており、その内空に上記回転軸を回転可能に支持し、かつ第１回転位置又は第２回転位置のいずれか一方の回転位置において、その内空と上記軸受け溝とが連続する導入溝を有する円筒部材である請求項１又は２に記載の採血台。
【請求項４】
上記円筒部材から延出されて当該円筒部材を回転させるレバーを更に具備する請求項３に記載の採血台。
【請求項５】
上記ロール収容部は、上記支持台の第１端に開口し、当該開口を通じて上記シートロールを装填可能な収容空間と、当該収容空間の開口をシートを引き出し可能なスリットを残して閉じる蓋と、を具備するものである請求項１から４のいずれかに記載の採血台。
【請求項６】
上記回転軸の一端は、上記支持台の外側へ突出されており、その一端に回転軸と共に回転する持ち手が設けられた請求項１から５のいずれかに記載の採血台。
【請求項７】
上記支持台は、
上記支持面を有する弾性変形部材と、
上記弾性変形部材を支持する支持板、及び当該支持板から下方へ延出された一対の脚部を有する台本体と、を具備し、
上記軸受け溝は、上記一対の脚部にそれぞれ設けられたものである請求項１から６のいずれかに記載の採血台。
【請求項８】
上記弾性変形部材は、上記台本体に対して着脱可能である請求項７に記載の採血台。
【発明の詳細な説明】
【技術分野】
【０００１】
本発明は、採血において卓上に載置されて被採血者の身体の腕を支持する採血台に関し、特に、腕を支持する支持面がシートで覆われた採血台に関する。
【背景技術】
【０００２】
血液検査などのために行われる採血においては、注射器や真空採血管のホルダーなどに取り付けされた採血針が、被採血者の腕において静脈に到達するまで刺通される。その際、採血針が刺通される腕を安定して載置するために採血台が使用される。この採血台には、作業台などに置かれる枕形状のものや、床に載置できる脚を備えたものなどの様々の形態がある（例えば、特許文献１〜５）。
【０００３】
従来の採血台において、被採血者の腕が載置される部材は、クッション材などの比較的柔らかな部材からなり、そのクッション材などの部材において身体の一部と接触する支持面は、衛生的な観点から布などのカバー材で覆われる（例えば、特許文献３）。
【０００４】
【特許文献１】特開２００７−４４４４３号公報
【特許文献２】特開平８−２６６５１９号公報
【特許文献３】特開２００６−１８７５６６号公報
【特許文献４】特開２００６−６８２２４号公報
【特許文献５】実用新案第３１０７４８３号公報
【発明の開示】
【発明が解決しようとする課題】
【０００５】
例えば職場での健康診断の採血や病棟での採血においては、持ち運び可能なコンパクトな採血台が適している。したがって、特許文献１に示される採血ベッドや、特許文献２に示される支持台付きの採血台などの比較的大きなものは不適である。
【０００６】
また、健康診断などにおいて、多数の被採血者から連続して採血を行うような場合には、複数の被採血者に対して採血台が使い回されることがある。採血において、採血台に血液が飛散する場合もあり、他人の血液が付着した採血台がそのまま再使用されることは非衛生的であるばかりか、感染症の感染ルートとなりかねない。また、血液が付着していないとしても、他人の身体が接触した採血台がそのまま再使用されることは衛生的とは言い難い。しかし、被採血者が代わる毎に、採血台を取り替えたり、採血台をディスポーザブルとするのでは、採血に要するコストが高くなる。また、採血毎にカバー材を交換する作業は繁雑であり、採血作業が非効率となる。
【０００７】
特許文献３には、カバーが連続的に交換可能な採血台が開示されているが、使用後のカバーがどのように扱われるかが明確でない。仮に、使用後のカバーは切り離されて捨てられるものとすれば、被採血者が替わる毎に使用後のカバーを切り離して捨てなければならず、作業が煩雑である。また、切り離されたカバーが嵩張るので大容量の医療用ゴミ箱が必要となる。さらには、この採血台においては、ロールカバー或いは折り畳みカバーを交換する際には、採血台の上部部材を取り外すか、採血台を裏返しにすることとなる。多数の採血を実施する途中において、採血台の上部部材を取り外す作業は煩雑である。また、採血台を裏返すと、血液が付着して汚れたカバーが机などの載置面と接触することとなり好ましくない。さらに、新しいカバーが机などの載置面と接触することとなるので、使用に際して、載置面と接触した部分を交換する作業が必要となり、作業工数が増える上にカバーの一部が無駄になる。
【０００８】
また、卓上に載置される採血台においては、特許文献４及び特許文献５に示されるように、肘より手首が下側となるように被採血者の腕を支持する支持面が傾斜している。そして、看護師などの採血作業者が、被採血者の手首側から採血針を腕に刺通する。このような採血台においては、採血に適した支持面の高さや傾斜角度を優先的に採用するために、支持面の下側に形成可能なスペースが限定される。また、被採血者側に使用後のカバー材が露呈されることは好ましくない。
【０００９】
本発明は、これらの事情に鑑みてなされたものであり、その目的は、支持面を覆うシートを連続的に交換することができ、シートロールの交換作業が容易且つ衛生的に行うことができる小型の採血台を提供することにある。
【００１０】
また、本発明の他の目的は、支持面により被採血者の腕を肘より手首を下にした姿勢で支持でき、かつ支持面の下方にシートロールや使用後のシートが衛生的に収容される小型の採血台を提供することにある。
【課題を解決するための手段】
【００１１】
(1)  本発明に係る採血台は、卓上に載置された状態で被採血者の腕を支持しうる支持面を有する支持台と、上記支持面を覆う帯状のシートがロール形状に巻かれたシートロールと、上記支持台において被採血者と対向する第１端側であって上記支持面の下方に設けられており、上記シートロールからシートを引き出し可能に収容するロール収容部と、上記支持台における上記第１端と反対側の第２端側であって上記支持面の下方に設けられており、上記支持面を覆っているシートを巻き取るシート巻取部と、を具備する。上記シート巻取部は、上記支持台に設けられており、上記第２端に開口して上記第１端へ向かって延出された軸受け溝と、上記軸受け溝に回転可能に嵌め込まれて上記シートと接続される回転軸と、上記軸受け溝に設けられており、上記回転軸を上記開口側に対して位置決めするロック部材と、を具備する。
【００１２】
本発明に係る採血台は、卓上に載置されて使用される。卓上とは、採血用の作業台上や机上を意味する。卓上に載置された採血台は、採血において被採血者の腕を支持する。腕を支持する支持面は支持台の一部であり、一般的には支持台の上面となる。この支持面は、帯状のシートで覆われる。帯状のシートは、例えば、布、紙、その他の血液を吸収可能な素材からなるシートであって、支持台の支持面をほぼ覆うことができる幅であり、かつ支持面より十分に長い帯状である。帯状のシートは、洗濯などによって繰り返し使用されるものであってもよいが、衛生上や感染防止という観点からはディスポーザブルであることが好ましい。
【００１３】
帯状のシートは、ロール形状に巻かれたシートロールとしてロール収容部に収容される。ロール収容部は、支持台の第１端側において支持面の下方に設けられている。ロール収容部から引き出されたシートは、支持面を覆って第１端から第２端へ延出される。第１端と第２端は、支持台において相対する端であり、採血台は、第１端が被採血者と対向する姿勢で用いられる。帯状のシートの長手方向は第１端から第２端へ延出される方向に沿っている。看護師などは、通常、第２端と対向する位置から採血を行う。例えば、支持面が長方形であれば、支持面における長辺方向の両端が第１端及び第２端に相当する。そして、シートは、その長手方向が支持面の長辺に沿って延出されて支持面を覆う。支持面を覆ったシートは、第２端側においてシート巻取部に巻き取られる。被採血者と対向しない第２端側にシート巻取部が設けられているので、使用後のシートが被採血者に対して露呈されない。
【００１４】
シート巻取部は、支持台に設けられた軸受け溝に回転軸が回転可能に嵌め込まれ、この回転軸がロック部材により位置決めされている。なお、回転軸は、必ずしも軸受け溝のみによって回転可能に支持される必要はなく、軸受け溝とロック部材とが相まって回転軸を回転可能に支持してもよい。軸受け溝が、支持面の下方において支持台の第２端に開口しているので、支持台を裏返すことなく、シートが接続された回転軸を軸受け溝に挿入できる。また、ロール収容部及びシート巻取部が支持面の下方に設けられているので、支持台を第１端及び第２端から外側へ延長する必要がない。
【００１５】
採血台が使用される際には、シートで覆われた支持面に被採血者の腕が支持される。そして、採血が行われた後、支持面を覆うシートがシート巻取部に巻き取られる。シートの巻き取りは回転軸の回転によるが、回転軸は手動で回転されても、モータなどから駆動伝達されて回転されてもよい。このようなシートの巻き取りに伴って、ロール収容部からシートの未使用部分が支持面へ供給されて支持面を覆う。したがって、被採血者の腕は、常に新しいシートで覆われた支持面に支持される。また、シート巻取部がシートを巻き取る際に、軸受け溝の開口へ向かう方向の力がシートを通じて回転軸に加わっても、ロック部材が軸受け溝における回転軸の位置決めを行っているので、回転軸が軸受け溝から外れることがない。
【００１６】
(2)  上記支持面は、上記第１端から上記第２端へ向かって降下する傾斜面であってもよい。
【００１７】
これにより、肘より手首を下にした姿勢で被採血者の腕を支持面にて支持することができる。
【００１８】
(3)  上記ロック部材は、上記軸受け溝の奥に設けられて第１回転位置と第２回転位置との間で回転可能に設けられており、その内空に上記回転軸を回転可能に支持し、かつ第１回転位置又は第２回転位置のいずれか一方の回転位置において、その内空と上記軸受け溝とが連続する導入溝を有する円筒部材であってもよい。
【００１９】
軸受け溝に挿入された回転軸は、軸受け溝の奥において、導入溝を通じて円筒部材の内空へ進入する。このように、軸受け溝から導入溝へ回転軸が進入可能な回転位置が、第１回転位置又は第２回転位置のいずれか一方である。軸受け溝の奥において、円筒部材が第１回転位置又は第２回転位置の他方に回転されると、導入溝は軸受け溝と連続しないので、円筒部材の内空に回転可能に支持された回転軸が、内空から軸受け溝へ移動することがない。これにより、回転軸が軸受け溝の開口側に対して位置決めされる。
【００２０】
(4)  上記円筒部材から延出されて当該円筒部材を回転させるレバーを更に具備してもよい。
【００２１】
このレバーにより、容易に円筒部材が回転されるので、操作性がよい。
【００２２】
(5)  上記ロール収容部は、上記支持台の第１端に開口し、当該開口を通じて上記シートロールを装填可能な収容空間と、当該収容空間の開口をシートを引き出し可能なスリットを残して閉じる蓋と、を具備するものであってもよい。
【００２３】
ロール収容部が、支持面の下方において支持台の第１端に開口しているので、支持台を裏返すことなく、シートロールを収容空間に装填できる。
【００２４】
(6)  上記回転軸の一端は、上記支持台の外側へ突出されており、その一端に回転軸と共に回転する持ち手が設けられてもよい。
【００２５】
持ち手としては、例えば、回転軸の一端に設けられたダイヤル形状のものなど、指で挟み持てるものがあげられる。この持ち手によって、手動によって回転軸を回転する際の操作性が向上される。なお、本発明において持ち手は、回転軸の少なくとも一端に設けられていればよいが、回転軸の両端に持ち手がそれぞれ設けられていてもよい。
【００２６】
(7)  上記支持台は、上記支持面を有する弾性変形部材と、上記弾性変形部材を支持する支持板、及び当該支持板から下方へ延出された一対の脚部を有する台本体と、を具備し、上記軸受け溝は、上記一対の脚部にそれぞれ設けられたものであってもよい。
【００２７】
弾性変形部材は、例えばスポンジや低反発ポリウレタンなどからなる。この弾性変形部材により支持面が構成されることによって、被採血者の腕に、痛みの少ない柔らかな感触を与えることができる。この弾性変形部材は、支持板に支持されており、この支持板は、一対の脚部により作業台上などにおいて所定の高さに支持される。回転軸は、軸方向の両端が一対の脚部にそれぞれ支持されて回転自在である。換言すれば、回転軸は、支持板の下方において、一対の脚部に架設されている。これにより、支持板の下方の空間を回転軸に巻回された帯状のシートの収容空間として、採血台を小型化できる。
【００２８】
(8)  上記弾性変形部材は、上記台本体に対して着脱可能であってもよい。
【００２９】
これにより、血液などがシートを通過して弾性変形部材まで到達した場合には、弾性変形部材を交換することができる。また、弾性変形部材が劣化した場合には、弾性変形部材を交換することができる。
【発明の効果】
【００３０】
本発明によれば、採血台の第２端側にシート巻取部が設けられているので、使用後のシートが被採血者に対して露呈されず、衛生的な採血台が実現される。
【００３１】
また、軸受け溝が、支持面の下方において支持台の第２端に開口しているので、支持台を裏返すことなく、シートが接続された回転軸を軸受け溝に挿入できる。これにより、シートロールの交換作業を容易且つ衛生的に行うことができる。
【００３２】
また、ロール収容部及びシート巻取部が支持面の下方に設けられているので、支持台を第１端及び第２端から外側へ延長する必要がなく、小型の採血台が実現される。
【００３３】
また、回転軸の回転により使用後のシートが巻き取られ、ロール収容部からシートの未使用部分が支持面へ供給されて支持面を覆うので、複数の採血に際して、支持面を覆うシートを連続的に交換することができる。
【００３４】
また、支持面が、第１端から第２端へ向かって降下する傾斜面であるので、肘より手首を下にした姿勢で被採血者の腕を支持面にて支持して、採血を行うことができる。
【発明を実施するための最良の形態】
【００３５】
以下、本発明の好ましい実施形態を説明する。なお、本実施形態は本発明の一実施態様にすぎず、本発明の要旨を変更しない範囲で実施態様を変更できることは言うまでもない。
【００３６】
［図面の説明］
図１は、本発明の実施形態にかかる採血台１０の第２端２６側の外観構成を示す斜視図である。図２は、採血台１０の第１端２５側の外観構成を示す斜視図である。図３は、図２において蓋４２が開放姿勢にされた状態を示す斜視図である。図４は、採血台１０の分解斜視図である。図５は、回転軸１３，１４及びロック部材１５，１６を分解した状態の採血台１０を示す斜視図である。図６は、採血台１０の右側面図である。図７は、図１におけるVII−VII切断による断面を示す断面図である。図８は、蓋４２の外嵌構成を示す斜視図である。図９（Ａ）は、ロック部材１５の背面図であり、図９（Ｂ）は、ロック部材１５の正面図であり、図９（Ｃ）は、ロック部材１５の右側面図である。図１０は、変形例に係る回転軸８０の構成を示す分解斜視図である。なお、図１から図６においては、シート１２及びシートロール１７が省略されている。
【００３７】
［採血台１０の概略構成］
図１に示されるように、採血台１０は、採血が行われる作業台上や机上に載置可能な大きさであり、採血に際して被採血者の腕が採血台１０上に載置される。この採血台１０は、支持台１１、シート１２、回転軸１３，１４、ロック部材１５，１６を主要な部材として構成されている。
【００３８】
［支持台１１］
図４に示されるように、支持台１１は、主として、台本体２０と、台本体２０に支持された弾性変形部材２１とから構成されている。台本体２０は、天板となる支持板２２と一対の脚部２３，２４とからなる。支持板２２は、平面視が長方形の平板である。支持板２２において一対の長辺をなす両縁には、鉛直方向へ延びる一対の脚部２３，２４が設けられている。一対の脚部２３，２４は、支持板２２の各長辺に渡ってそれぞれ設けられている。この支持板２２及び脚部２３，２４は一つの部材として一体に形成されている。一対の脚部２３，２４は、支持板２２の長辺となる両縁から鉛直方向にそれぞれ突出している。一対の脚部２３，２４によって、支持板２２が作業台などの上面から所定の高さに支持される。図７に示されるように、支持板２２の下方はシートロール１７を収容するための空間である。
【００３９】
支持台１１が作業台上に置かれた状態において、支持板２２は、その長辺方向に沿って傾斜している。支持板２２において傾斜上側となる端が、本明細書において第１端２５と称される。第１端２５と対向して下方へ傾斜した側となる端が、本明細書において第２端２６と称される。つまり、支持板２２の上面は、その長辺方向に沿って第１端２５から第２端２６へ向かって降下する傾斜面である。なお、本明細書においては、支持台１１を構成する各部材においても第１端２５側及び第２端２６側と称されることがあるが、これらは支持板２２における第１端２５及び第２端２６がそれぞれ位置する側を示している。また、各図には示されていないが、一対の脚部２３，２４の底面に、ゴムなどの静摩擦係数が高い部材が設けられると、作業台などの上面において支持台１１が滑らないので好適である。
【００４０】
支持台１１の大きさは特に限定されないが、採血に適した大きさに設定される。また、採血台１０の持ち運びなどを考慮すると小型であることが好ましい。さらに、支持板２２の下方の空間は、採血を行う人数に好適な長さのシートロール１７や巻取後のシート１２が収容できるように設定される。また、支持板２２の傾斜は、被採血者が肘より手首を下側として弾性変形部材２１上に腕を載置するに好適な角度が設定される。例えば、１００人の被採血者毎にシート１２を交換するとすれば、一般的な布製のシートロール１７の直径は、直径２５ｍｍの紙管７９（図７参照）を含むと６５ｍｍ程度となる。そして、シートロール１７の収容や採血作業の便宜などを考慮すると、支持台１１の第１端２５における支持板２２の高さを卓上から１３０ｍｍ程度とし、支持台１１の第２端２６における支持板２２の高さを卓上から８０ｍｍ程度とすることが一例としてあげられる。
【００４１】
脚部２３，２４における第１端２５側には、後述される蓋４２の軸４６，４７（図８参照）を回転自在に支持する軸孔２７，２８がそれぞれ設けられている。なお、図４においては、脚部２３に形成された軸孔２７が現れていないが、軸孔２７は軸孔２８と対称な形状である。軸孔２７，２８は、脚部２３，２４を厚み方向にそれぞれ貫通しており、各々の軸線が同一仮想直線上にある。この軸孔２７，２８に軸４６，４７がそれぞれ嵌め込まれて、蓋４２が開閉自在となる。
【００４２】
脚部２３，２４における第２端２６側には、後述される回転軸１３，１４を回転自在に支持する軸受け溝２９，３０がそれぞれ設けられている。軸受け溝２９，３０は、脚部２３，２４を厚み方向にそれぞれ貫通するスリット形状である。軸受け溝２９，３０は、支持板２２より下方において脚部２３，２４の第２端２６側にそれぞれ開口して第１端２５側へ向かって水平方向へ延出されている。各軸受け溝２９，３０の開口は、脚部２３，２４のうち支持板２２より下側部分の中央となる高さ位置に配置されている。各軸受け溝２９，３０の開口付近における鉛直方向の幅は、各回転軸１３，１４の小径部７４（図５参照）の外径とほぼ同じである。また、各軸受け溝２９，３０の奥（開口と反対側）には、開口付近の幅より大きな内径のロック受け部３１，３２が設けられている。なお、図４においては、脚部２３に形成されたロック受け部３１が現れていないが、ロック受け部３１はロック受け部３２と対称な形状である。各ロック受け部３１，３２の軸線は一致する。このロック受け部３１，３２にロック部材１５，１６がそれぞれ回転可能に嵌め込まれる。
【００４３】
図４に示されるように、脚部２３，２４の外側には外装材３３，３４が設けられている。各外装材３３，３４は、脚部２３，２４の外側面をすべて覆う形状である。したがって、側面視（図６参照）において対応する脚部２３，２４と外装材３３，３４とは同形状である。各外装材３３，３４には、脚部２３，２４の軸受け溝２９，３０に対応して軸受け溝３５，３６が形成されている。この軸受け溝３５，３６は、外装材３３，３４が対応する脚部２３，２４に設けられた状態において、軸受け溝２３，２４と一体となる。したがって、軸受け溝３５，３６の形状は、前述された軸受け溝２３，２４の形状と同一なので、ここでは詳細な説明が省略される。
【００４４】
図４に示されるように、各外装材３３，３４の外面には、軸受け溝３５，３６からそれぞれ上方へ向かって弧状に延出されたガイド溝３７，３８が形成されている。このガイド溝３７，３８には、後述される各ロック部材１５，１６の突部６９（図９参照）が嵌合される。ガイド溝３７，３８は、各外装材３３，３４の外面からそれぞれ凹陥した溝である。なお、図４においては外装材３３の外面が現れておらず、外装材３３において脚部２３と対向する裏面側に膨出するガイド溝３７が現れているが、このガイド溝３７は外装材３３の外面において凹陥している。各ガイド溝３７，３８の延出方向は、軸受け溝３５，３６の奥を中心とした円弧である。各ガイド溝３７，３８は、軸受け溝３５，３６から各軸受け溝３５，３６の奥の直上までそれぞれ延出されている。各ガイド溝３７，３８の延出端は、凹陥方向（厚み方向）の深さが一段と深くなった半球面３９をなしている。なお、図４においては、ガイド溝３７の半球面が現れていないが、半球面３９と同形状である。この半球面３９により、ガイド溝３７，３８の延出端にロック部材１５，１６の突部６９が固定されると共に、突部６９が延出端へ出入する際にレバー６２，６３にクリック感が生じる。
【００４５】
図４に示されるように、支持板２２の上面には、弾性変形部材２１が着脱可能に固定されている。弾性変形部材２１は、平面視が長方形の平板であり、支持板２２の外形寸法とほぼ同等の外形寸法である。弾性変形部材２１は、低反発ウレタンを主要な素材として形成されており、外力に対して容積を収縮するように弾性変形可能である。このような弾性変形部材２１が、長辺方向の両端（小口面）を支持板２２の第１端２５及び第２端２６と揃えるようにして、支持板２２の上面に固定されている。同図には現れていないが、弾性変形部材２１と支持板２２とは面ファスナーにより接続されており、弾性変形部材１２は支持板２２に対して着脱可能である。支持板２２に固定された弾性変形部材２１の上面が、採血の際に被採血者の腕を支持しうる支持面となる。弾性変形部材２１の厚みは長辺方向に対して一定であり、弾性変形部材２１の上面は、支持板２２の上面に沿って傾斜している。
【００４６】
図７に示されるように、弾性変形部材２１の上面、つまり支持面は、シート１２で覆われる。シート１２は、例えば、布、紙、その他の血液を吸収可能な素材からなる平帯である。シート１２の幅は、弾性変形部材２１の短辺方向の長さと同等である。また、シート１２の長さは、弾性変形部材２１の長辺方向の長さより十分に長い。したがって、シート１２は、弾性変形部材２１の上面をほぼ覆うことができる。シート１２は、幅方向を軸として円筒形状に巻き取られてシートロール１７とされている。このシートロール１７からシート１２が引き出されて弾性変形部材２１の上面が覆われている。
【００４７】
［ロール収容部４０］
図２及び図３に示されるように、支持台１１における第１端２５側には、ロール収容部４０が設けられている。図７に示されるように、ロール収容部４０はシートロール１７を収容する。ロール収容部４０は、支持板２２から垂下された区画壁４１と蓋４２とを主要な構成とする。
【００４８】
図７に示されるように、区画壁４１は、支持板２２の下面において第１端２５より内側の位置から下方へ延出され、その延出端が第１端２５へ向かって湾曲されている。図３に示されるように、区画壁４１の幅は、支持板２２の幅と同程度である。区画壁４１の延出端の湾曲は、シートロール１７の径を考慮して設定されている。区画壁４１より支持板２２の第１端２５側の空間が、シートロール１７を収容するための収容空間５５となる。この収容空間５５は、支持板２２の第１端２５側に対して開口している。区画壁４１により、支持板２２の下方における収容空間５５と軸受け溝２９，３５側の空間とがほぼ分離されている。
【００４９】
図２及び図７に示されるように、蓋４２は、区画壁４１の延出端付近から支持板２２の第１端２５へ向かって延出されている。この蓋４２によって、収容空間５５の開口が開閉される。図８に示されるように、蓋４２は、湾曲板４３を主要構成とする。図２及び図３に示されるように、湾曲板４３は、支持板２２の幅と同程度の幅であり、その高さは台本体２０の脚部２３，２４のうち支持板２２より下側となる部分より若干低い。
【００５０】
図８に示されるように、湾曲板４３の両側には、側板４４，４５が設けられている。各側板４４，４５は湾曲板４３から収容空間５５（湾曲内側）へ向かって突出している。各側板４４，４５は、湾曲板４３の両側へ沿って下側へ向かって突出幅が拡幅し、最下端側が半円形状をなしている。各側板４４，４５の最下端付近には、湾曲板４３より外側へ向かってそれぞれ突出する軸４６，４７が設けられている。この軸４６，４７が、台本体２０の一対の脚部２３，２４に設けられた軸孔２７，２８（図４参照）に挿入されて、蓋４２が台本体２０に回転自在に支持される。各側板４４，４５の上端付近には、湾曲板４３の外側へ向かってそれぞれ突出するピン５２，５３が設けられている。図３に示されるように、一対の脚部２３，２４にそれぞれ設けられた凹陥部５７，５８にピン５２，５３が嵌合することによって、蓋４２が閉塞姿勢（図２参照）に保持される。なお、図３においては凹陥部５８が現れていないが、凹陥部５８は凹陥部５７と対称な形状である。
【００５１】
図８に示されるように、湾曲板４３には、側板４４，４５の間に並列して側板４４，４５とほぼ同形状のリブ４９〜５１が設けられている。各リブ４９〜５１は、湾曲板４３から収容空間５５へ向かって突出している。リブ４９〜５１は、湾曲板５３を補強すると共に、収容空間５５へ突出する端面がシートロール１７を位置決めする。
【００５２】
図８に示されるように、湾曲板４３には厚み方向に貫通する貫通孔５４が設けられている。この貫通孔５４は、湾曲板４３における幅方向の中央であって上端付近に配置されている。貫通孔５４は、採血を行う者の指が挿入可能な大きさである。この貫通孔５４に指を掛けて、閉塞姿勢の蓋４２を開放姿勢（図３参照）へ回動させることができる。また、閉塞姿勢の蓋４２の外側からロール収容部４０に収容されたシートロール１７の状態を視認することができる。
【００５３】
図２及び図３に示されるように、前述された蓋４２が台本体２０に組み付けられることにより、蓋４２が台本体２０に対して回動可能となる。図２に示されるように、蓋４２の上端（回動先端）が支持板２２の第１端２５付近へ位置された状態が、本明細書において蓋４２の閉塞姿勢と称される。図７に示されるように、閉塞姿勢の蓋４２は、そのリブ４９〜５１が区画壁４１と相まってシートロール１７を所定位置に保持する。保持されたシートロール１７は、その軸方向を支持板２２の短辺方向に沿った水平方向に位置決めされる。
【００５４】
前述されたように、蓋４２の湾曲板４３の高さは、台本体２０の脚部２３，２４のうち支持板２２より下側となる部分より若干低い。したがって、閉塞姿勢の蓋４２の上端と支持板２２の第１端２５との間にスリット５６が形成される。このスリット５６は、支持板２２の第１端２５に沿った横長形状であり、シートロール１７からシート１２の幅方向を第１端２５に沿わせてシート１２を引き出し可能な大きさ及び形状である。図７に示されるように、引き出されたシート１２の幅方向は支持板２２の短辺方向に沿っている。したがって、引き出されたシート１２は、捩れることなく弾性変形部材２１の上面へ延出される。
【００５５】
収容空間５５に収容されたシートロール１７の外周側からスリット５６を通じて連続的にシート１２が引き出されると、シートロール１７は収容空間５５内において軸線方向（水平方向）を中心として回転する。このようなシートロール１７の回転中において、蓋４２のリブ４９〜５１及び区画壁４１は、回転を許容しながらシートロール１７の軸線方向を支持板２２の短辺方向に沿った水平方向に保持する。
【００５６】
図３に示されるように、蓋４２を開放姿勢にすると、収容空間５５が第１端２５側に対して開口する。したがって、第１端２５側からシートロール１７を収容空間５５へ装填することができる。
【００５７】
［シート巻取部１８］
図１に示されるように、支持台１１における第２端２６側には、シート巻取部１８が設けられている。図７に示されるように、シート巻取部１８は、弾性変形部材２１の上面を覆っているシート１２を巻き取る。シート巻取部１８は、軸受け溝２９，３０，３５，３６に嵌め込まれた回転軸１３，１４とロック部材１５，１６とを主要な構成とする。
【００５８】
図５に示されるように、ロック部材１５，１６は、円筒部材６０，６１とレバー６２，６３とをそれぞれ有する。ロック部材１５，１６は、軸受け溝２９，３５又は軸受け溝３０，３６に対応する対称な形状であるので、以下にはロック部材１５を例に詳細な説明がなされ、ロック部材１６についての詳細な説明が省略される。
【００５９】
図９に示されるように、ロック部材１５は、円筒部材６０とレバー６２とを有する。円筒部材６０は、軸受け溝２９，３５の奥に嵌め込まれた状態において、その外周面６４が軸受け溝２９，３５の奥の内周面と対向する。円筒部材６０の両端にはフランジ６５，６６が設けられている。フランジ６５は、脚部２３の外側に対応し、フランジ６６は脚部２３の内側に対応している。本実施形態では、フランジ６５の外径がフランジ６６の外径より大きく設定されているが、これら外径は同等であっても、逆にフランジ６６の外径が大きくてもよい。フランジ６５，６６間の長さは、脚部２３及び外装材３３の厚みと同程度である。したがって、フランジ６５，６６が脚部２３及び外装材３３を挟み込むようにして、円筒部材６０が軸受け溝２９，３５の奥に回転可能に嵌め込まれる。
【００６０】
円筒部材６０の外周面６４は一部が切り欠かれており、フランジ６５，６６も対応する一部が切り欠かれて導入溝６７が形成されている。導入溝６７の幅１０１は、軸受け溝２９，３５の幅と同じである。導入溝６７を通じて、円筒部材６０の外側から内空へ回転軸１３が進入可能である。
【００６１】
レバー６２は、フランジ６５から円筒部材６０の径方向外側へ向かって延出されている。図９（Ｂ）に示されるように、レバー６２が延出される向き１０２と導入溝６７が延出される向き１０３とは、円筒部材６０の周方向に対して９０°の角度をなす。レバー６２において脚部２３の外側となる面には摘み６８が設けられている。この摘み６８は薄肉のリブ形状であり、採血を行う者が指で挟み持つことができる程度の大きさである。レバー６２において脚部２３と対向する面には突部６９が設けられている。突部６９は半球形状をなしており、突部６９の直径は軸受け溝２９，３５の幅より若干短い。突部６９は、円筒部材６０が軸受け溝２９，３５の奥に嵌め込まれた状態において、外装材３３に形成されたガイド溝３７と嵌合する。
【００６２】
軸受け溝２９，３５の奥に回転可能に嵌め込まれた円筒部材６０は、レバー６２の突部６９とガイド溝３７との嵌合により、９０度だけ回転を許容される。図１及び図７に示されるように、突部６９が軸受け溝２９，３５内に進入してレバー６２が水平方向へ延びるロック部材１５の回転位置が、本明細書において第１回転位置と称される。図５に示されるように、第１回転位置において、導入溝６７は鉛直下方へ向いており軸受け溝２９，３５とは連続していない。したがって、円筒部材６０の内空へ進入した回転軸１３は、軸受け溝２９，３５の開口側に対して位置決めされて、軸受け溝２９，３５及び円筒部材６０によって回転自在に支持される。
【００６３】
図５に示されるように、矢印１０４へ向かってレバー６２が鉛直方向へ起立させると、第１回転位置にある円筒部材６０も矢印１０４へ回転される。このとき、レバー６２の突部６９はガイド溝３７に沿ってガイド溝３７（図４参照）の延出端へ移動する。そして、レバー６２が鉛直方向へ起立すると、突部６９がガイド溝３７の延出端に嵌合して固定される。このときレバー６２にクリック感が生じる。レバー６２が鉛直方向へ起立するロック部材１５の回転位置が、本明細書において第２回転位置と称される。なお、鉛直方向に起立したレバー６２を水平方向へ倒伏させる際にも、突部６９がガイド溝３７の延出端から離脱して、レバー６２にクリック感が生じる。
【００６４】
第２回転位置において、導入溝６７は第２端２６へ向かう水平方向へ向いて軸受け溝２９，３５と連続する。したがって、軸受け溝２９，３５から円筒部材６０の内空へ回転軸１３を進入させることができ、また、円筒部材６０の内空から軸受け溝２９，３５の開口へ回転軸１３を移動させることができる。
【００６５】
［回転軸１３，１４］
図５に示されるように、回転軸１３，１４は、軸部７０，７１と持ち手７２，７３とをそれぞれ有する。回転軸１３，１４は、軸受け溝２９，３５又は軸受け溝３０，３６のいずれに嵌め込まれるかが異なるのみであって同形状なので、以下には回転軸１３を例に詳細な説明がなされ、回転軸１４についての詳細な説明が省略される。
【００６６】
回転軸１３は、軸部７０と持ち手７２とからなる。軸部７０における持ち手７２側には小径部７４が設けられている。小径部７４の軸線方向の長さは脚部２３及び外装材３３の厚みと同程度である。小径部７４の外径は、軸受け溝２９，３５に進入可能な大きさであり、ロック部材１５に対しては、導入溝６７を通じて円筒部材６０の内空へ進入可能な大きさである。
【００６７】
小径部７４における持ち手７２と反対側には、フランジ７５が設けられている。小径部７４の軸線方向に対してフランジ７５が設けられた側が、脚部２３の内側と対応している。フランジ７５は小径部７４の径方向へ延びる円盤である。回転軸１３が円筒部材６０の内空へ侵入すると、フランジ７５はフランジ６６と対向する。フランジ７５から持ち手７２と反対方向へ芯材接続部７６が設けられている。芯材接続部７６は小径部７４の軸線方向へ突出する円筒芯７７の外周面に、径方向及び軸線方向へ延びる薄肉のリブ７８が放射線状に複数設けられてなる。芯材接続部７６のリブ７８は、芯材の一例ある円筒形状の紙管７９内に圧入される寸法に設定されている。なお、シート１２は、必ずしも芯材を介して芯材接続部７６に接続される必要はなく、直接に芯材接続部７６に接続されてもよい。
【００６８】
持ち手７２は、小径部７４に対してフランジ７５と反対側に設けられている。小径部７４の軸線方向に対して持ち手７２が設けられた側が脚部２３の外側と対応している。持ち手７２は、その外径が小径部７４の外径より大きな円柱形状であり、その円柱形状の軸線が小径部７４の軸線と合致する。
【００６９】
持ち手７２とフランジ７５との間の長さは、ロック部材１５におけるフランジ６５，６６間の長さより若干大きい。したがって、持ち手７２とフランジ７５とがフランジ６５，６６を挟み込むようにして、回転軸１３の小径部７４が円筒部材６０の内空に嵌め込まれる。回転軸１３の小径部７４が円筒部材６０の内空に嵌め込まれた状態において、持ち手７２は、支持台１１の外側へ突出している。そして、持ち手７２が回転されると、脚部２３の内側にある芯材接続部７６も一体に回転される。
【００７０】
図７に示されるように、ローラ収容部４０に装填されたシートロール１７からスリット５６を通じてシート１２が引き出され、さらに弾性変形部材２１の上面に沿って第１端２５側から第２端２６側へ延出されたシート１２は、第２端２６において弾性変形部材２１の下方へ延出されて、回転軸１３，１４の軸部７０，７１に装着された紙管７９に接続されている。このように延出されたシート１２の幅方向は、弾性変形部材２１の短辺方向に合致しており、また、回転軸１３，１４の軸線方向に合致している。
【００７１】
［採血台１０の使用方法］
採血台１０は、卓上に載置されて採血に用いられ、特に健康診断のように多人数から連続して行う採血に適している。採血に際して、採血台１０のロール収容部４０に未使用のシートロール１７が装填される。シートロール１７の装填に際して、採血台１０は、図１に示されるように、脚部２３，２４によって支持板２２が作業台などの上面から所定の高さに支持された状態で作業台などに載置される。
【００７２】
図２に示されるように、蓋４２の貫通孔５４に指を掛けて蓋４２を開放姿勢とし、ローラ収容部４０を開口させる。そして、ローラ収容部４０に未使用のシートロール１７を水平方向を軸線方向として挿入する。挿入したシートロール１７の外周にあるシート１２の端を摘んで、蓋４２の回動先端より外側へ引き出す。そして、蓋４２を閉塞姿勢とすると、図７に示されるように、区画壁４１とリブ４８〜５１によってシートロール１７が軸線方向を支持板２２の第１端２５に沿った水平方向に支持され、シートロール１７から引き出されたシート１２は、スリット５６を通じてロール収容部４０の外側へ延びる。
【００７３】
スリット５６から延びているシート１２を、弾性変形部材２１の上面に沿って第１端２５側から第２端２６側へ延びるように更に引き出す。シート１２は、その帯形状の長手方向へ引き出される。回転軸１３，１４は、軸受け溝２９，３０，３５，３６に嵌め込まれてない状態で、その軸部７０，７１に円筒形状の紙管７９を装着する。そして、軸部７０，７１に装着された紙管７９に、シート１２の端を接続する。なお、軸部７０，７１に装着される紙管７９は、芯材の一例であり、プラスチック管などの紙管７９以外の芯材が用いられてもよい。
【００７４】
ロック部材１５，１６のレバー６２，６３をそれぞれ第２回転位置に回動して保持し、前述された回転軸１３，１４を軸受け溝２９，３０，３５，３６に挿入する。このとき、シート１２が弾性変形部材２１の上面を捻れずに覆うように留意する。そして、回転軸１３，１４を軸受け溝２９，３０，３５，３６の奥まで進入させ、さらに導入溝６７を通じて円筒部材６０，６１の内空へ回転軸１３，１４を進入させる。その後、ロック部材１５，１６のレバー６２，６３をそれぞれ第１回転位置に回動することにより、回転軸１３，１４を軸受け溝２９，３０，３５，３６の開口に対して位置決めする。そして、回転軸１３，１４の持ち手７２，７３を持って軸部７０，７１をそれぞれ回転させることによって、シート１２を軸部７０，７１に装着された紙管７９に若干巻き取って、シート１２が弾性変形部材２１の上面を弛みなく覆うようにする。
【００７５】
前述されたように、シート１２で覆われた弾性変形部材２１の上面に被採血者の腕が載置される。採血台１０は、支持板２２の第１端２５を被採血者に対向させる。これにより、弾性変形部材２１の上面の傾斜に沿って、被採血者の腕は肘より手首が下側となる。そして、注射器や真空採血管などを用いて公知の手法によって採血が行われる。
【００７６】
採血が終了して被採血者の腕が弾性変形部材２１から離れると、回転軸１３，１４の持ち手７２，７３をシート１２を巻き取る回転方向へ回転させる。図７に示されるように、回転軸１３，１４の回転によって、シート１２が矢印１０５へ移動しながら軸部７０，７１に装着された紙管７９に巻き取られる。これに伴い、弾性変形部材２１の上面においては、シート１２が矢印１０５へ移動する。また、シートロール１７からはスリット５６を通じて未使用のシート１２が弾性変形部材２１へ引き出される。このとき、シート１２と弾性変形部材２１との摺動摩擦や、シートロール１７と区画壁４１及びリブ４８〜５１との摺動摩擦などによって、シート１２を通じて回転軸１３，１４に軸受け溝２９，３０，３５，３６の開口側へ引き出される力が作用するが、前述されたように、回動軸１３，１４は、第１回転姿勢のロック部材１５，１６によって軸受け溝２９，３０，３５，３６の開口に対して位置決めされているので、回動軸１３，１４が開口へ向かって移動することはない。
【００７７】
弾性変形部材２１の上面を覆っていたシート１２が、シートロール１７から引き出された未使用のシート１２に完全に置き換えられるまで、回転軸１３，１４を回転させる。そして、弾性変形部材２１の上面を未使用のシート１２に置き換えた後に、次の被採血者の腕を、未使用のシート１２で覆われた弾性変形部材２１の上面に載置させる。さらに、次の被採血者に対しても、同様の作業が行われて、常に未使用のシート１２で覆われた弾性変形部材２１の上面に被採血者の腕が載置される。
【００７８】
シートロール１７として巻かれていたシート１２がすべて引き出されると、回転軸１３，１４に使用後のシート１２がすべて巻き取られた状態になる。そうすると、ロック部材１５，１６のレバー６２，６３をそれぞれ第２回転位置に回動して保持し、前述された回転軸１３，１４を軸受け溝２９，３０，３５，３６から取り外す。そして、回転軸１３，１４から使用後のシート１２を紙管７９と共に外して廃棄する。このような回転軸１３，１４の取り外しに際して、支持台１１を裏返す必要はない。
【００７９】
その後、前述と同様にして、新しい未使用のシートロール１７をロール収容部４０に装填し、シート１２の端を回転軸１３，１４に装着された新たな紙管７９に接続して、その回転軸１３，１４を回転軸１３，１４を軸受け溝２９，３０，３５，３６の奥に挿入する。これを繰り返すことにより、１個のシートロール１７を使い切りまで、弾性変形部材２１を覆っているシート１２を連続的に交換することができる。
【００８０】
なお、使用後のシート１２や芯材としての紙管７９は、洗濯や滅菌などが施されることによって繰り返し使用されてもよいが、衛生上や感染防止という観点からはディスポーザブルであることが好ましい。また、使用後のシート１２が取り外された回転軸１３，１４もディスポーザルとしてもよい。
【００８１】
［本実施形態の作用効果］
前述されたように、採血台１０の第２端２６側にシート巻取部１８が設けられているので、使用後のシート１２が被採血者に対して露呈されず、衛生的な採血台１０が実現される。
【００８２】
また、軸受け溝２９，３０，３５，３６が、支持板２２の下方において第２端２６に開口しているので、支持台１１を裏返すことなく、シート１２が接続された回転軸１３，１４を軸受け溝２９，３０，３５，３６に挿入できる。これにより、シートロール１７の交換作業を容易且つ衛生的に行うことができる。
【００８３】
また、シート巻取部１８及びロール収容部４０が支持板２２の下方に設けられているので、支持台１１を第１端２５及び第２端２６から外側へ延長する必要がなく、弾性変形部材２１の上面の面積と同程度の載置面積である小型の採血台１０が実現される。
【００８４】
また、回転軸１３，１４の回転により使用後のシート１２が巻き取られ、ロール収容部４０からシート１２の未使用部分が弾性変形部材２１へ供給されてその上面を覆うので、多人数の採血に際して、弾性変形部材２１の上面を覆うシート１２を連続的に交換することができる。
【００８５】
回転軸１３，１４の回転によりシート１２を巻き取る際に、軸受け溝２９，３０，３５，３６の開口へ向かう方向の力がシート１２を通じて回転軸１３，１４に加わっても、ロック部材１５，１６が軸受け溝２９，３０，３５，３６における回転軸１３，１４の位置決めを行っているので、回転軸１３，１４が軸受け溝２９，３０，３５，３６から外れることがない。
【００８６】
また、弾性変形部材２１の上面が、第１端２５から第２端２６へ向かって降下する傾斜面であるので、肘より手首を下にした姿勢で被採血者の腕を弾性変形部材２１の上面にて支持して、採血を行うことができる。
【００８７】
また、ロック部材１５，１６において、円筒部材６０，６１を回転させるレバー６２，６３が設けられたので、レバー６２，６３を操作することにより、容易に円筒部材６０，６１を第１回転姿勢又は第２回転姿勢に回転させることができ、操作性がよい。
【００８８】
また、蓋４２を開放姿勢とすることにより、ロール収容部４０の収容空間５５が、支持板２２の下方において第１端２５側へ向かって開口するので、支持台１１を裏返すことなく、シートロール１７を収容空間５５に装填できる。
【００８９】
また、回転軸１３，１４に、支持台１１の外側へ突出する持ち手７２，７３が設けられているので、手動によって回転軸１３，１４を回転する際の操作性が向上される。
【００９０】
また、被採血者の腕を支持する支持面が弾性変形部材２１により構成されているので、被採血者の腕に、痛みの少ない柔らかな感触を与えることができる。
【００９１】
また、弾性変形部材２１が支持板２２に支持されており、この支持板２２が、一対の脚部２３，２４により採血台上などにおいて所定の高さに支持されるので、支持板２２の下方の空間を回転軸１３，１４に巻き取られるシート１２を収容する空間やシートロール１７の収容空間５５として利用して、採血台１０を小型化できる。
【００９２】
また、弾性変形部材２１が、台本体２０の支持板２２に対して着脱可能なので、例えば、血液などがシート１２を通過して弾性変形部材２１まで到達した場合には、弾性変形部材２１を交換することができる。また、弾性変形部材２１が劣化した場合には、弾性変形部材２１を交換することができる。
【００９３】
［変形例］
前述された実施形態においては、２個の回転軸１３，１４に装着された紙管７９によって使用後のシート１２が巻き取られることとしたが、本発明における回転軸は１個のものとして実現されてもよい。
【００９４】
図１０に示されるように、変形例に係る回転軸８０は、軸部８１と嵌合部８２，８３とを有する。なお、図１０に示されているロック部材１５，１６は前述された実施形態と同じものである。
【００９５】
軸部８１は、その両端に円筒形状の連結部８４，８５を有し、その連結部８４，８５を接続するように、径方向及び軸線方向へ延びる４枚の薄肉のリブ８６が互いに直交する方向へ設けられている。連結部８４，８５には、嵌合部８２，８３がそれぞれ連結される。なお、各リブ８６は、芯材としての円筒形状の紙管７９内に圧入される寸法に設定されている。
【００９６】
嵌合部８２，８３は、軸部８１に対する連結位置が異なるのみであって同形状なので、以下には嵌合部８２を例に詳細な説明がなされ、嵌合部８３についての詳細な説明が省略される。
【００９７】
嵌合部８２は、持ち手８７、小径部８８、フランジ８９、外嵌部９０を主要構成とする。小径部８８は円筒形状であり、その軸線方向の長さは、脚部２３及び外装材３３の厚みより若干長い。小径部７４の外径は、軸受け溝２９，３５に進入可能な大きさであり、ロック部材１５に対しては、導入溝６７を通じて円筒部材６０の内空へ進入可能な大きさである。小径部８８における一端には持ち手８７が設けられており、他端にはフランジ８９が設けられている。
【００９８】
小径部８８の軸線方向に対して持ち手８７が設けられた側が脚部２３の外側と対応している。持ち手８７は、その外径が小径部８８の外径より大きな円柱形状であり、その円柱形状の軸線が小径部８８の軸線と合致する。
【００９９】
小径部８８の軸線方向に対してフランジ８９が設けられた側が、脚部２３の内側と対応している。フランジ８９は小径部８８の径方向へ延びる円盤である。嵌合部８２が円筒部材６０の内空へ侵入すると、フランジ８９はフランジ６６と対向する。
【０１００】
持ち手８７とフランジ８９との間の長さは、ロック部材１５におけるフランジ６５，６６間の長さより若干長い。したがって、持ち手８７とフランジ８９とがフランジ６５，６６を挟み込むようにして、嵌合部８２の小径部８８が円筒部材６０の内空に嵌め込まれる。図１０に現れていないが、嵌合部８２の小径部８８が円筒部材６０の内空に嵌め込まれた状態において、持ち手８７は、支持台１１の外側へ突出している。そして、持ち手８７が回転されると、外嵌部９０も一体に回転される。
【０１０１】
外嵌部９０は、フランジ８９から持ち手８７と反対側へ突出している、外嵌部９０は、小径部８８と軸線方向を同じにする円筒形状であり、その突出端から軸線方向に沿ってリブ８６に対応する切込みが形成されている。外嵌部９０は、軸部８１の連結部８４に対して外嵌される。これにより、嵌合部８２と軸部８１とが連結されて、一体に回転可能となる。
【０１０２】
なお、嵌合部８３については詳細な説明が省略されるが、嵌合部８２と同様にして軸部８１と連結される。
【０１０３】
前述された実施形態と同様にして、ローラ収容部４０に装填されたシートロール１７からスリット５６を通じてシート１２が引き出され、さらに弾性変形部材２１の上面に沿って第１端２５側から第２端２６側へ延出されたシート１２は、第２端２６において弾性変形部材２１の下方へ延出されて、軸部８１に装着された紙管７９に接続される。このように延出されたシート１２の幅方向は、弾性変形部材２１の短辺方向に合致しており、また、回転軸１３，１４の軸線方向に合致している。
【０１０４】
前述された回転軸８０を用いても、前述された実施形態と同様の作用効果が奏される。また、使用後のシート１２を廃棄するに際して、軸部８１のみをディスポーザブルとしてもよく、使用後のシート１２と直接に接触しない嵌合部８２，８３を再利用することができる。また、嵌合部８２，８３のいずれか一方を持って回転させれば軸部８１が回転するので操作性がよい。したがって、持ち手８７は、嵌合部８２，８３の少なくとも一方にのみ設けられていてもよい。
【０１０５】
また、前述された実施形態及び変形例においては、回転軸１３，１４，８０を手動で回転させて使用後のシート１２を巻き取ることとしたが、回転軸１３，１４，８０にモータなどの駆動源から駆動伝達させて、モータの駆動により回転軸１３，１４，８０が回転されるように構成されてもよい。
【０１０６】
また、前述された実施形態及び変形例においては、軸受け溝２９，３０，３５，３６と別にロック部材１５，１６が設けられた構成が示されているが、本発明におけるロック部材は軸受け溝と一体のものであってもよい。例えば、軸受け溝の幅を狭める方向へ出没又は変形可能なロック部材が軸受け溝又は支持台の脚部に一体に設けられていてもよい。
【図面の簡単な説明】
【０１０７】
【図１】図１は、本発明の実施形態にかかる採血台１０の第２端２６側の外観構成を示す斜視図である。
【図２】図２は、採血台１０の第１端２５側の外観構成を示す斜視図である。
【図３】図３は、図２において蓋４２が開放姿勢にされた状態を示す斜視図である。
【図４】図４は、採血台１０の分解斜視図である。
【図５】図５は、回転軸１３，１４及びロック部材１５，１６を分解した状態の採血台１０を示す斜視図である。
【図６】図６は、採血台１０の右側面図である。
【図７】図７は、図１におけるVII−VII切断による断面を示す断面図である。
【図８】図８は、蓋４２の外嵌構成を示す斜視図である。
【図９】図９（Ａ）は、ロック部材１５の背面図であり、図９（Ｂ）は、ロック部材１５の正面図であり、図９（Ｃ）は、ロック部材１５の右側面図である。
【図１０】図１０は、変形例に係る回転軸８０の構成を示す分解斜視図である。
【符号の説明】
【０１０８】
１０・・・採血台
１１・・・支持台
１２・・・シート
１３，１４，８０・・・回転軸
１５，１６・・・ロック部材
１７・・・シートロール
１８・・・シート巻取部
２０・・・台本体
２１・・・弾性変形部材（支持面）
２２・・・支持板
２３，２４・・・脚部
２５・・・第１端
２６・・・第２端
２９，３０，３５，３６・・・軸受け溝
４０・・・ロール収容部
４２・・・蓋
５５・・・収容空間
５６・・・スリット
６０，６１・・・円筒部材
６２，６３・・・レバー
６７・・・導入溝
７２，７３・・・持ち手
【図１】
2010005208.tif 000003
【図２】
2010005208.tif 000004
【図３】
2010005208.tif 000005
【図４】
2010005208.tif 000006
【図５】
2010005208.tif 000007
【図６】
2010005208.tif 000008
【図７】
2010005208.tif 000009
【図８】
2010005208.tif 000010
【図９】
2010005208.tif 000011
【図１０】
2010005208.tif 000012